(57)【特許請求の範囲】
【請求項１】
ベッドに設置されるリフト部品、ベッドの1長辺側のみに設置されるガイドパイプ及び一昇降駆動装置を含み、前記のガイドパイプに突き棒が内蔵され、前記のリフト部品の下端と前記の突き棒の上端が連結されていて、前記の突き棒の下端が前記のガイドパイプを通過し、前記の昇降駆動装置の出力端と連結され、
前記のリフト部品は前記のベッドの長さ方向に沿って設置され、前記のリフト部品は複数の支持棒、各支持棒の上に設置されたアーク形の受け板及びアーク形の受け板の上に設置された長軸及び長軸より外側の位置でベッド表面に設置された複数のフックを含み、前記のリフト部品がさらに、前記のベッドの他方の長辺側に設けられた複数の挿入穴にそれぞれ挿入される剛性棒を含み、剛性棒の上端に滑り落ち防止溝があり、前記のリフト部品がさらに、１枚ないし複数の紡績品を含み、各紡績品はそれぞれ、一端が前記の剛性棒の上端にある滑り落ち防止溝に掛けられ横方向に被看護者の体の下を通過し長軸の上を通過して他端がフックに掛けられることにより緊張し、前記の支持棒の下端と前記の突き棒の上端が連結されていることを特徴とするオンベッドリフタ。
【発明の詳細な説明】
【技術分野】
【０００１】
本発明は看護機器に関し、オンベッドリフタに関する発明である。
【背景技術】
【０００２】
中国が高齢化社会となっていて、高齢者や病人に対する看護は社会に対しても家庭に対しても重大な課題となっている。高齢者や病人に対する看護は難しさが主に排便、水浴び及び布団などの寝具の交換にあるようである。難しい看護により、高齢者の病人が適切な看護を受けることが難しく、難しい恢復または病気の重度化、及び被看護者の苦痛につながる。
【発明の概要】
【発明が解決しようとする課題】
【０００３】
前記の難しさは主な原因が前記の看護が主に看護者の体力によるものであるが、体力が被看護者の体重を支持できない看護者が多数である上、被看護者がベッドに横たわっていて、高齢者や病人が無理な引っ張りに耐えられないので、看護者の仕事が大変である。
【０００４】
本発明は機械補助駆動により緩く被看護者の体をリフトし、布団などの寝具の交換、被看護者の水浴び、盆の出入及び被看護者の体の一部の洗浄に便利であり、寝たきりの被看護者の体の下の通気を保ち、褥瘡の発生を避けるようにする。
【課題を解決するための手段】
【０００５】
本発明は上記課題を解決するため、以下のような構成を採用したものである。
【０００６】
本発明は、ベッドに設置されるリフト部品、ベッドの1長辺側のみに設置されるガイドパイプ及び昇降駆動装置を含み、前記のガイドパイプに突き棒が内蔵され、前記のリフト部品の下端と前記の突き棒の上端が連結されていて、前記の突き棒の下端が前記のガイドパイプを通過し、前記の昇降駆動装置の出力端と連結され、前記のリフト部品は前記のベッドの長さ方向に沿って設置され、前記のリフト部品は複数の支持棒、各支持棒の上に設置されたアーク形の受け板及びアーク形の受け板の上に設置された長軸及び長軸より外側の位置でベッド表面に設置された複数のフックを含み、前記のリフト部品はさらに、前記のベッドの他方の長辺側に設けられた複数の挿入穴にそれぞれ挿入される剛性棒を含み、剛性棒の上端に滑り落ち防止溝があり、前記のリフト部品がさらに、１枚ないし複数の紡績品を含み、各紡績品はそれぞれ、一端が前記の剛性棒の上端にある滑り落ち防止溝に掛けられ横方向に被看護者の体の下を通過し長軸の上を通過して他端がフックに掛けられることにより緊張し、前記の支持棒は下端が前記の突き棒の上端と連結されている。
【０００７】
前記のリフト部品は少なくとも2つであり、前記のベッドの長さ方向に沿って設置され、前記のリフト部品は被看護者の体の下に差し入れられる受け板及び支持棒を含み、肩、背のための受け板に挿入口を設置し、頭受けが挿入口に差し入れられていて、前記の支持棒は下端が前記の突き棒の上端と連結されている。
【０００９】
突き棒は下端で前記の昇降駆動装置の出力端と連結されている。
【００１０】
前記のリフト部品支持棒は下端が突き棒の上端と連結されていて、駆動機構は突き出し突き棒を駆動する。
【００１１】
前記の昇降駆動装置がウォーム歯車、ウォーム及び駆動部品を含み、前記のウォーム歯車がウォームと押し付け、ウォーム歯車の穴内ねじ山は外ねじ山のある突き棒と協力し、前記のウォームが所定の間隔で回転軸に設置され、軸の末端が前記の駆動部品と連結されている。
【００１２】
前記の駆動部品は駆動モータであり、回転軸の末端が前記の駆動モータの出力軸と連結されている。
【００１３】
前記の駆動部品は駆動ハンドルであり、回転軸の末端が前記の駆動ハンドルと連結されている。
【００１４】
前記の昇降駆動装置がガススプリング及びガススプリングスリーブに内蔵されたシリンダロッドを含み、前記のピストンは突き棒と連結されていて、ベッドフレームとガススプリングスリーブとの間に剛性引き棒があり、ガススプリングはシリンダロッドと突き棒を一体にしてもいい。
【００１５】
前記の昇降駆動装置がシリンダ本体及びシリンダ本体に内蔵されたピストンを含み、前記のピストンは突き棒と連結されている。
【００１６】
前記の昇降駆動装置が電動突き出し棒であり、前記のベッドフレームと前記の電動突き出し棒の後の非調節具との間に剛性引き棒があり、前記の電動突き出し棒は前調節具が突き棒と連結されている。
【００１７】
前記の昇降駆動装置は電動突き出し棒に推されるレバーであり、ベッドの下に支持レバーとして設置された剛性支持棒を含み、前記のレバーの両端に滑り溝があり、レバー側の滑り溝は電動突き出し棒の前端、他側の滑り溝は突き棒の末端と連結されている。
【００１８】
ベッドフレーム下の片側または両側の被看護者をリフトするように力が必要であるエリアに対応する位置（肩、背、臀部、膝の下に対応する箇所）に少なくとも2つ以上のリフト部品を設置し、更にベッドに支持されるガイドパイプを設置し、肩、背、膝の下に対応する箇所にあるガイドパイプの軸向きの箇所が調整でき、異なる身長の被看護者に適するようにする。ガイドパイプ内穴に設置された突き棒は突き出し力が発生する駆動機構に作用されてガイドパイプの内穴で昇降できる。突き棒の上端とリフト部品の支持棒との締付けが可能である。リフト部品は受け板、支持棒からなり、昇降する突き棒がリフト部品を突き出し、昇降させる。作動する場合、リフト部品の受け板を被看護者の体の下に差し入れ、肩、背のための受け板に挿入口を設置し、挿入口から頭受けを差し入れる。支持棒と突き棒の上端を締め付け、突き棒が駆動機構に駆動され、突き出され、リフト部品を突き出して被看護者をリフトする。突き棒の上端が連結された支持棒と協力して複数の方式にされることができ、突き棒の末端及び支持棒の内穴に大体に同じテーパの2つを設置し、突き棒がリフト部品を突き出して上昇させる場合、突き棒が迅速的に支持棒と連結し、ロックされ、突き棒がリフト部品を駆動して降下させる場合、ベッド表面の孔径が支持棒末端の外径の以下にあるので、自然的に突き棒につれて降下する支持棒を阻止し、両者が自然的に離脱する。
【００１９】
支持棒はストレートハンドルでもクランクでもよく、クランクが被看護者をリフトする場合にベッドに浴盆を設置することを妨害しない。
【００２０】
突き出し力を発生する駆動機構はウォーム歯車・ウォーム駆動機構でも、ガススプリング駆動機構でも、油圧伝動駆動機構または気圧伝動駆動機構でも、電動突き出し棒駆動機構でもいい。
【００２１】
ウォーム歯車・ウォーム駆動機構はベッドのフレームの長辺側のガイドパイプ及び突き棒のあるところにベッドに支持されるウォームケースを設置し、ウォームケースにウォーム歯車を設置し、ウォームが所定の間隔で回転軸に設置され、ウォーム歯車はウォームと押し付け、ウォーム歯車の穴内ねじ山は外ねじ山のある突き棒と協力する。ウォーム歯車の上下にガイドパイプを設置し、ウォーム歯車の穴内ねじ山と外ねじ山のある突き棒との間に滑り機構を設置し、突き棒の外ねじ山とウォーム歯車の穴内ねじ山とのかじりを防止する。突き棒がウォーム歯車で昇降するが、回転しないようにするように、突き棒の外部に軸向きに伸びる溝、ウォームケースにリミットストップを設置してもいい。リミットストップは一部が突き棒の溝にあり、突き棒の回転を阻止する。回転軸端に駆動部品として回転軸を駆動するための駆動ハンドルまたは駆動モータを設置する。
【００２２】
ガススプリング駆動機構はベッドのフレームの長辺側の突き棒の下にガススプリングを設置し、ベッドフレームとガススプリングスリーブとの間に剛性引き棒がある。スリーブの下にベースを設置し、ガススプリングのシリンダロッドを突き棒と締め付け、突き棒を突き出したり、引き戻したりすることができ、ガススプリングはシリンダロッドと突き棒を一体にしてもいい。
【００２３】
油圧または気圧機構駆動はベッドのフレームの長辺側の突き棒の下に油圧シリンダまたは気圧シリンダを設置し、ベッドフレームとシリンダ本体との間に剛性引き棒がある。シリンダ本体の下にベースを設置し、外力により作動油またはガスをシリンダ本体に押し入れ、シリンダロッドが突き棒を突き出して上昇、降下させ、シリンダロッドを突き棒と締め付け、シリンダロッドと突き棒を一体にしてもいい。
【００２４】
電動突き出し棒機構駆動はベッドのフレームの長辺側のガイドパイプ及び突き棒の下に電動突き出し棒を設置し、ベッドフレームと電動突き出し棒の後の非調節具との間に剛性引き棒があり、電動突き出し棒の下にベースを設置してもいい。電動突き出し棒は前調節具が突き棒と連結されていて、電動突き出し棒に突き出されて突き棒の上昇または下降を実現する。各突き棒の下に電動突き出し棒を設置してもいいが、電動突き出し棒を共有してもいい。
【００２５】
電動突き出し棒機構に駆動される他の構成は電動突き出し棒によりレバーを駆動し、駆動突き棒の上昇または下降を実現するものである。この駆動機構はベッドの下に剛性支持棒があり、レバーの両端に滑り溝があり、レバー側滑り溝が電動突き出し棒の前端、他側の滑り溝が突き棒の末端と連結されている。各突き出し棒の末端を横棒と連結し、レバーの他の端の滑り溝と横棒連結してもいい。
【００２６】
オンベッドリフタは他の機能が紡績品を被看護者をリフトすることである。
【００２７】
ベッドのフレームの長辺側のガイドパイプ及び突き棒のあるところに突き棒の上端と締め付けることのできる支持棒を設置し、支持棒の上にアーク形の受け板を設置し、開口方向が一致する各アーク形の受け板の上に長軸を設置する。長軸より外側の位置でベッド表面に若干のフックがある。ベッドのフレームの他方の長辺側に設けられた複数の挿入穴にそれぞれ剛性棒を挿入し、剛性棒の上端に滑り落ち防止溝がある。剛性棒の上端にある滑り落ち防止溝に紡績品の一端がかけられる。前記の紡績品は横方向に被看護者の体の下を通過し長軸の上を通過して他端がフックに掛けられることにより適度に緊張する。作動する場合、突き棒を突き出し、上昇させ、紡績品が上昇する長軸により更に緊張し、人体が紡績品にリフトされ、身体の下が空になり、長期の寝たきりの褥瘡のおそれが完全になくなる。排便盆を設置する箇所の紡績品に穴を設置したり、空にしたりして、排便盆の設置又は取出しに便利であり、被看護者の局部の洗浄にも便利である。
【発明の効果】
【００２８】
本発明によるオンベッドリフタは機械補助駆動により緩く被看護者の体をリフトし、布団などの寝具の交換、被看護者の水浴び、盆の出入及び被看護者の体の一部の洗浄に便利であり、寝たきりの被看護者の体の下の通気を保ち、褥瘡の発生を避けるようにする。本発明によるオンベッドリフタは効果的に高齢者や病人の看護関係の複数の課題を解決し、看護の辛さを軽減し、被看護者の全面的な看護が容易になる。
【図面の簡単な説明】
【００２９】
【図１】リフト部品のあるオンベッドリフタの立体図
【図２】リフト部品を利用したオンベッドリフタの左視図
【図３】頭受け挿入のリフト部品の構成図
【図４】頭受け挿入のリフト部品の立体図
【図５】リフト部品を利用したオンベッドリフタの作動原理立体図
【図６】リフト部品を利用したウォーム歯車・ウォームに突き上げられるオンベッドリフタの立体図
【図７】ウォーム歯車・ウォーム突き出し機構の構成図
【図８】リフト部品を利用した電動突き出し棒で突き出されるオンベッドリフタの立体図
【図９】リフト部品を利用した電動突き出し棒レバーで突き出されるオンベッドリフタの立体図
【図１０】電動突き出し棒レバーで突き出される構成図
【図１１】リフト部品を利用したガススプリングで突き出されるオンベッドリフタの立体図
【図１２】リフト部品を利用した油圧シリンダまたは気圧シリンダデ突き出されるオンベッドリフタの立体図。
【図１３】紡績品でリフトされるオンベッドリフタの立体図
【図１４】紡績品でリフトされるオンベッドリフタの左視図
【発明を実施するための形態】
【００３０】
図l〜12は本発明の実施例であり、リフト部品4の設置されたオンベッドリフタである。
【００３１】
このリフト部品4の設置されたオンベッドリフタはベッドのフレーム7の長フレーム8の片側で長フレーム8に近い箇所、横たわっている被看護者をリフトするように力が必要であるエリアに対応する位置（肩、背、臀部、膝の下に対応する位置）にベッド9に支持されたガイドパイプ13を設置し、肩、背、膝の下に対応する箇所にあるガイドパイプ13の軸向きの箇所が調整でき、異なる身長の被看護者に適するようにする。ガイドパイプ13は内穴に突き棒6があり、突き棒6が突き出し力を発生する駆動機構によりガイドパイプ13の内穴で昇降できる。突き棒6は上端がリフト部品4の支持棒2と締め付けることができ、リフト部品4は受け板3及び支持棒2からなり、突き棒6が昇降するとリフト部品4を突き出し、昇降させることができる。作動する場合、リフト部品4の受け板3を被看護者の体の下に差し入れ、肩、背のところにある受け板3の下に挿入口10を設置し、挿入口10から頭受けlに差し入れる。支持棒2及び突き棒6の上端を締め付け、突き棒6が駆動機構に駆動されて突き出し、リフト部品4を突き出して被看護者をリフトする。
【００３２】
複数の方法で突き棒6と支持棒2を締め付けることができ、突き棒6の末端19及び支持棒2の内穴11に大体に同じテーパを設置する。突き棒6がリフト部品4を突き出して上昇させる場合、突き棒6及び支持棒2迅速的に連結してロックし、突き棒6がリフト部品4を駆動して下降させる場合、ベッド表面40の孔径が支持棒2末端の外径の以下にあるので、自然的に突き棒6に連れて下降する支持棒2を阻止し、両者が自然的に離脱する。
【００３３】
突き出し力を発生する駆動機構はウォーム歯車・ウォーム駆動機構でも、ガススプリング駆動機構でも、油圧伝動駆動機構または気圧伝動駆動機構でも、電動突き出し棒駆動機構でもいい。
【００３４】
ウォーム歯車14、ウォーム17の駆動機構はベッドのフレーム7の長フレーム8の片側のガイドパイプ13及び突き棒6のあるところにベッド9に支持されたウォームケース18、ウォームケース18にウォーム歯車14及びウォーム17、ウォーム17を回転軸5にを設置し、ウォーム歯車14とウォーム17がかみ合い、ウォーム歯車14中孔内設ねじ山、ウォーム歯車14の穴内ねじ山が外ねじ山のある突き棒6と協力する。ウォーム歯車14の上下にガイドパイプ13を設置する。突き棒6がウォーム歯車14で昇降するが回転しないように、突き棒6の外に軸向きに伸びる溝16、ウォームケース18にリミットストップ15を設置する。リミットストップ15は一部が突き棒6の溝16で突き棒6の回転を阻止する。回転軸5の端部に回転軸5を駆動する駆動ハンドルまたは駆動モータである駆動部品20を設置する。
【００３５】
ガススプリング駆動機構はベッドのフレーム7の長フレーム8の片側突き棒6の下にガススプリング24を設置し、ベッドのフレーム7とガススプリング24スリーブ2lとの間に剛性引き棒22を設置する。スリーブ2lの下にベース25を設置してもいい。ガススプリング24はシリンダロッド23が突き棒6と締め付けられ、突き棒6を突き出したり、引き戻したりすることができる。ガススプリング24はシリンダロッド23及び突き棒6を一体にしてもいい。
【００３６】
油圧または気圧機構駆動はベッドのフレーム7の長フレーム8の片側の突き棒6の下に油圧シリンダまたは気圧シリンダを設置し、ベッド9とシリンダ本体26との間に剛性引き棒22を設置する。シリンダ本体26の下にベース25を設置し、外力により作動油または気をシリンダ本体26に押入れ、シリンダロッド23を推し、上昇、下降させるように突き棒6を突き出し、シリンダロッド23を突き棒6と締め付けられ、シリンダロッド23及び突き棒6を一体にしてもいい。
【００３７】
電動突き出し棒機構駆動はベッドのフレーム7の長フレーム8の片側ガイドパイプ13及び突き棒6の下に電動突き出し棒27、ベッド9と電動突き出し棒27後の非調節具との間に剛性引き棒22を設置する。電動突き出し棒27の下にベース25を設置し、電動突き出し棒27を突き棒6と締め付けられ、電動突き出し棒27により突き出し、突き棒6の上昇または下降を実現してもいい。各突き棒6の下に電動突き出し棒27を設置しても、電動突き出し棒27を共有してもいい。
【００３８】
電動突き出し棒機構で駆動する場合、電動突き出し棒27でレバー28を推して駆動突き棒6の上昇または下降を実現してもいい。この駆動機構はベッド9の下に剛性支持棒29、レバー28の両端に滑り溝31を設置し、レバー28一端の滑り溝3lを電動突き出し棒27の前端と連結し、他の端の滑り溝3lを突き棒6の末端に接続する。各突き出し棒6の末端を横棒30、レバー28の一端滑り溝31を横棒30と連結する。
【００３９】
図5〜14に本発明の実施例2を示す。実施例2は紡績品で被看護者をリフトするオンベッドリフタである。このオンベッドリフタは実施例1の突き棒6でリフト部品4を除き、突き出し力を発生する駆動機構及び他の構成が実施例1と同じである。駆動機構はウォーム歯車・ウォーム駆動機構でも、ガススプリング駆動機構でも、油圧伝動駆動機構または気圧伝動駆動機構でも、電動突き出し棒駆動機構でもいい。紡績品で被看護者をリフトする構成として、突き棒6の上端に支持棒2を締め付け、支持棒2にアーク形の受け板39、開口方向が一致する各アーク形の受け板39に長軸34を設置する。長軸34外側ベッド表面40に若干のフック36があり、ベッド9の長フレーム8の他側のベッド表面40の下にベッド9に支持された直接挿入穴37の若干があり、直接挿入穴37に剛性棒32が差し入れられていて、剛性棒32の上端に滑り落ち防止溝33がある。剛性棒32の上端にある滑り落ち防止溝33から順序に配列したり、所定の間隔で配列したりする1枚ないし複数の紡績品38は横向きで被看護者の体の下を通過し、長軸34を越え、フック36により適度に緊張させる。作動する場合、突き棒6を突き出し、上昇させ、紡績品38が上昇する長軸34により更に緊張し、人体が紡績品38にリフトされ、身体の下が空になり、長期寝たきりの褥瘡のおそれが完全になくなる。排便盆を設置する箇所の紡績品38に穴を設置したり、空にしたりして、排便盆の設置又は取出しに便利であり、被看護者の局部の洗浄にも便利である。本発明の紡績品38の外に、革製品、縄、不織布など柔軟性及び荷重力のある物品にしてもいい。
【図１】
0006058031.tif 000002
【図２】
0006058031.tif 000003
【図３】
0006058031.tif 000004
【図４】
0006058031.tif 000005
【図５】
0006058031.tif 000006
【図６】
0006058031.tif 000007
【図７】
0006058031.tif 000008
【図８】
0006058031.tif 000009
【図９】
0006058031.tif 000010
【図１０】
0006058031.tif 000011
【図１１】
0006058031.tif 000012
【図１２】
0006058031.tif 000013
【図１３】
0006058031.tif 000014
【図１４】
0006058031.tif 000015